(57)【要約】【課題】  版を大きな咥え力で咥えることができる枚葉印刷機の版万力装置を提供する。【解決手段】  枚葉印刷機の咥え万力装置において、版胴１は旋回軸１２と、旋回軸１２と略平行な軸を中心に回転可能な回転体１４とが設けられ、咥え尻側万力５の上歯７は回動軸９と回転体１４の転動面が当接する当接面７ａとが設けられ、上歯７は回動軸９を中心に回動可能に構成され、旋回軸１２を旋回させて、回転体１４が当接面７ａと当接しながら回転している状態で、回転体１４が上歯７を押圧し、上歯７と下歯８とが噛合するように構成されている。【選択図】      図３
2006181766.tif 000002
【特許請求の範囲】
【請求項１】
枚葉印刷機の版胴の版溝内に設けられた版万力装置であって、前記版胴の周方向に巻きつけられる版の端部を下歯と可動する上歯によって咥えるように構成されている枚葉印刷機の咥え万力装置において、
前記版胴の軸と略並行な旋回軸と、
前記旋回軸の旋回により揺動しかつ前記旋回軸と略平行な軸を中心に回転可能な回転体  とを有し、
前記上歯は回動軸と前記回転体の転動面が当接する当接面とを有し、前記上歯は前記回動軸を中心に回動可能に構成され、
前記旋回軸を旋回させて、前記回転体が前記当接面と当接しながら回転している状態で、前記回転体が前記上歯を押圧し、前記上歯と前記下歯とが噛合するように構成されていることを特徴とする枚葉印刷機の咥え万力装置。
【請求項２】
前記回転体は、前記旋回軸の外周面に軸受けを介して取り付けられていることを特徴とする請求項１に記載の枚葉印刷機の咥え万力装置。
【請求項３】
前記当接面をテーパー面で形成し、該テーパー面は、前記回転体と当接する位置によって前記上歯と前記下歯との噛み合い力が変化するように形成されていることを特徴とする請求項１または請求項２に記載の枚葉印刷機の咥え万力装置。
【請求項４】
前記旋回軸と前記回転体との間には、弾性部材が配設されていることを特徴とする請求項１から請求項３のいずれかに記載の枚葉印刷機の咥え万力装置。
【請求項５】
枚葉印刷機の版胴の版溝内に版万力装置を備え、前記版万力装置は咥え側万力と咥え尻側万力とを備え、前記咥え側万力は前記版胴の周方向に巻きつけられる版の前端部を咥え、前記咥え尻側万力は前記版の後端部を咥えるようになっており、前記咥え側万力および前記咥え尻側万力は前記版を咥えるための上歯および下歯をそれぞれ備え、前記上歯を可動にして前記上歯および前記下歯が互いに噛合するように構成されている枚葉印刷機の咥え万力装置において、
前記版胴の軸と略並行な旋回軸と、
前記旋回軸の旋回により揺動しかつ前記旋回軸と略平行な軸を中心に回転可能な回転体  とを有し、
前記咥え尻側万力の前記上歯は回動軸と前記回転体の転動面が当接する当接面とを有し、前記上歯は前記回動軸を中心に回動可能に構成され、
前記旋回軸を旋回させて、前記回転体が前記当接面と当接しながら回転している状態で、前記回転体が前記上歯を押圧し、前記上歯と前記下歯とが噛合するように構成されていることを特徴とする枚葉印刷機の咥え万力装置。
【請求項６】
前記回転体は、前記旋回軸の外周面に軸受けを介して取り付けられていることを特徴とする請求項５に記載の枚葉印刷機の咥え万力装置。
【請求項７】
前記当接面をテーパー面で形成し、該テーパー面は、前記回転体と当接する位置によって前記上歯と前記下歯との噛み合い力が変化するように形成されていることを特徴とする請求項５または請求項６に記載の枚葉印刷機の咥え万力装置。
【請求項８】
前記旋回軸と前記回転体との間には、弾性部材が配設されていることを特徴とする請求項５から請求項７のいずれかに記載の枚葉印刷機の咥え万力装置。
【請求項９】
前記旋回軸が前記版胴の両端部まで延在し、前記旋回軸の軸端部を手動またはアクチュエータによって旋回させるように構成されていることを特徴とする請求項５から請求項８のいずれかに記載の枚葉印刷機の咥え万力装置。
【請求項１０】
前記版胴はカム軸を備え、前記咥え側万力の前記上歯または前記下歯には、前記カム軸のカム面が当接する第２の回転体と、前記第２の回転体を前記カム面に付勢する付勢手段とが設けられ、前記カム軸を回動させて前記咥え側万力の前記上歯と前記下歯の噛合するように構成されていることを特徴とする請求項５から請求項９に記載の枚葉印刷機の咥え万力装置。
【請求項１１】
前記版万力装置が前記版を咥えた状態で、前記咥え尻側万力が前記版の天地方向に移動可能に形成されていることを特徴とする請求項５から請求項１０のいずれかに記載の枚葉印刷機の咥え万力装置。
【発明の詳細な説明】
【技術分野】
【０００１】
本発明は、版胴に版を取り付けるための咥え万力装置に関するものである。
【背景技術】
【０００２】
輪転印刷機には連続的にウェブ（印刷紙）を供給するウェブ式輪転印刷機や、間欠的に印刷紙であるシートを供給する枚葉印刷機等の種々の形式がある。一般的な枚葉印刷機は図７に示すように、給紙装置５６、複数組みの印刷装置５５ａ〜５５ｄ、排紙装置５７及び排紙装置５７の下流端下側に設けたシート積重装置５８等々によって構成されている。給紙装置５６から１枚ずつ送り出されたシート６１は次工程印刷装置５５を経由する途中で所定の印刷が施され、続いて排紙装置５７の下方に位置するシート積重装置５８の排紙テーブル上へ積重された後、所定枚数の束として外部へ搬出されることになる。なお、図７においてＦＬはフロアを示し、Ｔは中間胴を示す。このような枚葉印刷機では、インキ色の異なる複数組みの印刷装置５５ａ〜５５ｄをシート６１の進行方に並設しており、該印刷装置５５ａ〜５５ｄへ順次シート６１へ通紙させ、インキを重ね合わせることによって、多色印刷ができるように構成されている。
【０００３】
版胴６２には、例えば特許文献１に示すように、版１１を取り付けるための版万力装置が設けられている。この版万力装置は、図８に示す咥え側万力Ｒと、図９に示す咥え尻側万力Ｓにより構成されている。版１１の装着は、まず咥え側万力Ｒにおいて開口した上歯５２と下歯５３の中間に版１１の前端を挿入して把持させ、続いて押さえローラ５４にて版６３の表面を押しつけた状態で版胴６２を図８中の矢印Ｘの方向に回転させた後、最後に咥え尻側万力Ｓによって開口した上歯６４と下歯６５の中間へ版１１の後端折り曲げ部を挿入して把持させることにより行なわれる。
【０００４】
次に、印刷装置５５のインキ供給部から順次転移したインキは、版胴６２へ装着した版１１から図７に示すブランケット胴（ゴム胴）５９へ転写され、さらにブランケット胴５９と圧胴６０の中間を走行するシート６１へ転写され、これによって、印刷が行なわれることになる。
【０００５】
なお、上述の咥え尻側万力Ｓは、図９に示すように、版胴６２の溝部において軸方向に固設したレール６６と、このレール６６に沿って移動できる摺動板６７と、この摺動板６７に対して移動可能に設備した台座６８と、この台座６８に対して図中左右方向に移動できるようにした下歯６５と、この下歯６５へボルト６９および球面座金７０を介して取り付けた上歯６４と、この上歯６４を閉口すべく作用する圧縮バネ７１と、上歯６４の開閉用カム７２と、上歯６４および下歯６５を一体的、かつ上記レール６６と直角方向へ移動させるカム７３等で構成されている。
【特許文献１】特開２０００−２４６８７０号公報
【発明の開示】
【発明が解決しようとする課題】
【０００６】
このような多色印刷を施す印刷機では、印刷装置５５ａ〜５５ｄのそれぞれによってシート６１上に印刷を施した絵柄が、咥え側から咥え尻側へ向かうに従い湿し水の付加、あるいはブランケット胴５９からの印圧等によってシート６１が徐々に天地方向（版１１の前後方向）へ伸びることがある。この伸びによって、平行および直角が歪み、同一シート６１上に転写された絵柄（インキ）がずれるといった見当ずれ（ファンアウト）が発生する。したがって、上記見当ずれによって印刷面が不鮮明になる等品質を著しく低下させるといった問題が生じてしまう。そのため、枚葉印刷機では、版１１を取り付けた状態で、咥え尻側万力Ｓを版１１の天地方向へ移動させて版１１を張ることにより上述の見当ずれを補正する方法が採用されている。
【０００７】
しかしながら、版１１を天地方向に張るためには、版万力装置の版１１の咥え力を大きくしなければならない。従来の構造では、版１１を上歯６４（５２）と下歯６５（５３）とを噛み合わせるために、開閉用カム７２を上歯６４に当接させ、かつカム面と上歯とを摺動させることにより上歯６４を動かしている。この摺動させる構造では、当接面の摩擦力が障壁となり上歯６４と下歯６５との噛み合わせ力を大きくするのに限界がある。また、開閉用カム７２を回転させるための大きな駆動力が必要となる。
【０００８】
本発明の目的は、版を天地方向に張るために、版の前端部および後端部を大きな咥え力で咥えることができる枚葉印刷機の版万力装置を提供することにある。
【課題を解決するための手段】
【０００９】
本発明では、枚葉印刷機の版胴の版溝内に設けられた版万力装置であって、前記版胴の周方向に巻きつけられる版の端部を下歯と可動する上歯によって咥えるように構成されている枚葉印刷機の咥え万力装置において、前記版胴の軸と略並行な旋回軸と、前記旋回軸の旋回により揺動しかつ前記旋回軸と略平行な軸を中心に回転可能な回転体とを有し、前記上歯は回動軸と前記回転体の転動面が当接する当接面とを有し、前記上歯は前記回動軸を中心に回動可能に構成され、前記旋回軸を旋回させて、前記回転体が前記当接面と当接しながら回転している状態で、前記回転体が前記上歯を押圧し、前記上歯と前記下歯とが噛合するように構成されている。
また、本発明では、枚葉印刷機の版胴の版溝内に版万力装置を備え、前記版万力装置は咥え側万力と咥え尻側万力とを備え、前記咥え側万力は前記版胴の周方向に巻きつけられる版の前端部を咥え、前記咥え尻側万力は前記版の後端部を咥えるようになっており、前記咥え側万力および前記咥え尻側万力は前記版を咥えるための上歯および下歯をそれぞれ備え、前記上歯を可動にして前記上歯および前記下歯が互いに噛合するように構成されている枚葉印刷機の咥え万力装置において、前記版胴の軸と略並行な旋回軸と、前記旋回軸の旋回により揺動しかつ前記旋回軸と略平行な軸を中心に回転可能な回転体とを有し、  前記咥え尻側万力の前記上歯は回動軸と前記回転体の転動面が当接する当接面とを有し、前記上歯は前記回動軸を中心に回動可能に構成され、前記旋回軸を旋回させて、前記回転体が前記当接面と当接しながら回転している状態で、前記回転体が前記上歯を押圧し、前記上歯と前記下歯とが噛合するように構成されている。
【００１０】
前記回転体は、前記旋回軸の外周面に軸受けを介して取り付けられている。
また、前記当接面をテーパー面で形成し、該テーパー面は、前記回転体と当接する位置によって前記上歯と前記下歯との噛み合い力が変化するように形成されている。
さらに、前記旋回軸と前記アーム部材との間に弾性部材を介在させている。
【００１１】
前記旋回軸が前記版胴の両端部まで延在し、前記旋回軸の軸端部を手動またはアクチュエータによって旋回させるように構成されている。
また、前記版胴はカム軸を備え、前記咥え側万力の前記上歯または前記下歯には、前記カム軸のカム面が当接する第２の回転体と、前記第２の回転体を前記カム面に付勢する付勢手段とが設けられ、前記カム軸を回動させて前記咥え側万力の前記上歯と前記下歯の噛み合いを開閉するように構成されている。
さらに、前記版万力装置が前記版を咥えた状態で、前記咥え尻側万力が前記版の天地方向に移動可能に形成されている。
【発明の効果】
【００１２】
本発明では、枚葉印刷機の版胴の版溝内に設けられた版万力装置であって、前記版胴の周方向に巻きつけられる版の端部を下歯と可動する上歯によって咥えるように構成されている枚葉印刷機の咥え万力装置において、前記版胴の軸と略並行な旋回軸と、前記旋回軸の旋回により揺動しかつ前記旋回軸と略平行な軸を中心に回転可能な回転体とを有し、前記上歯は回動軸と前記回転体の転動面が当接する当接面とを有し、前記上歯は前記回動軸を中心に回動可能に構成され、前記旋回軸を旋回させて、前記回転体が前記当接面と当接しながら回転している状態で、前記回転体が前記上歯を押圧し、前記上歯と前記下歯とが噛合するように構成されている。
また、本発明では、枚葉印刷機の版胴の版溝内に版万力装置を備え、前記版万力装置は咥え側万力と咥え尻側万力とを備え、前記咥え側万力は前記版胴の周方向に巻きつけられる版の前端部を咥え、前記咥え尻側万力は前記版の後端部を咥えるようになっており、前記咥え側万力および前記咥え尻側万力は前記版を咥えるための上歯および下歯をそれぞれ備え、前記上歯を可動にして前記上歯および前記下歯が互いに噛合するように構成されている枚葉印刷機の咥え万力装置において、前記版胴の軸と略並行な旋回軸と、前記旋回軸の旋回により揺動しかつ前記旋回軸と略平行な軸を中心に回転可能な回転体とを有し、  前記咥え尻側万力の前記上歯は回動軸と前記回転体の転動面が当接する当接面とを有し、前記上歯は前記回動軸を中心に回動可能に構成され、前記旋回軸を旋回させて、前記回転体が前記当接面と当接しながら回転している状態で、前記回転体が前記上歯を押圧し、前記上歯と前記下歯とが噛合するように構成されている。
したがって、旋回軸を回転させるのに過大なトルクを必要としないで、大きな咥え力を得ることができる。また、過大なトルクを必要としないので、旋回軸にねじれを発生させることがなく、版胴の長手方向に対して均一な咥え力を得ることができる。さらに、摺動部がないので、回転体や当接面に磨耗を生じさせない。
また、前記回転体は、前記旋回軸の外周面に軸受けを介して取り付けられているので、旋回軸の旋回と共に回転体を旋回させることができる。これにより、簡単な構成で摺動動作をなくすことができる。
【００１３】
前記当接面をテーパー面で形成し、該テーパー面は、前記回転体と当接する位置によって前記上歯と前記下歯との噛み合い力が変化するように形成されているので、旋回軸の旋回角度によって咥え力を調整および管理することができる。
また、前記旋回軸と前記アーム部材との間に弾性部材を介在させているので、過大な咥え力が発生しないようにすることができる。
さらに、前記旋回軸が前記版胴の両端部まで延在し、前記旋回軸の軸端部を手動またはアクチュエータによって旋回させるように構成されているので、版を咥えさせる作業が容易に行なえるようになる。
【００１４】
また、前記版胴はカム軸を備え、前記咥え側万力の前記上歯または前記下歯には、前記カム軸のカム面が当接する第２の回転体と、前記第２の回転体を前記カム面に付勢する付勢手段とが設けられ、前記カム軸を回動させて前記咥え側万力の前記上歯と前記下歯の噛み合いを開閉するように構成されているので、咥え側万力と咥え尻側万力との咥え力を共に高めることができる。
さらに、前記版万力装置が前記版を咥えた状態で、前記咥え尻側万力が前記版の天地方向に移動可能に形成されているので、版万力装置で咥えた版を版の天地方向に張ることができる。
【発明を実施するための最良の形態】
【００１５】
以下、本発明の実施の形態に係る枚葉印刷機の咥え万力装置ついて、図１〜図６を用いて詳細に説明する。図１は、本発明の実施の形態に係る版万力装置を備えた版胴の斜視図である。
【００１６】
図１は、本発明の実施の形態に係る咥え万力装置を備えた版胴の斜視図である。版胴１には、版胴１の回転軸２の長手方向に沿って版溝３が設けられ、この版溝３の溝内には、印刷用の版を取り付けるための版万力装置４が設けられている。この版万力装置４は、版胴１に対して移動可能に取り付けられた咥え尻側万力５と、版胴１に固定されている咥え側万力６（図２および図３参照）とで構成されている。なお、図１に示す版胴１には、咥え尻側万力５を詳細に示すために咥え側万力６を省略している。また、図２は、図１のＡ方向から見た斜視図であって、咥え側万力６を詳細に示すために咥え尻側万力５を省略して示したものである。
【００１７】
図３は、図１のＢ−Ｂ線に沿って切断した断面図であって、版胴１に版１１が巻かれて取り付けられた状態を示している。最初に、咥え尻側万力５の構成について説明する。この咥え尻側万力５には、版胴１の長手方向に延びる上歯７および下歯８が設けられている。この上歯７には版胴１の長手方向に沿って延びる回動軸９が設けられており、この回動軸９を中心に上歯７が回動して下歯８と噛み合い、この噛み合い部１０で版１１の版尻１１ｂ（版の後端部）が咥えられることになる。また、上歯７の下部には、後述するカムフォロア１４の転動面と当接するテーパー面（当接面）７ａが形成されている。このテーパー面７ａは、回動軸９に対して咥え側万力６側に設けられており、後述する旋回軸の時計回りの回転方向に沿って、所定の角度を有するなだらかな下り傾斜の傾斜面に形成されている。このため、上歯７の咥え側万力６側の下端部は、最下方に位置している。
【００１８】
咥え尻側万力５は、図１に示すように、版胴１の長手方向に対して４分割で構成されており、この４分割のうちの１つを図４に拡大して示す。この下歯８には、図３および図４に示すように、版胴１の軸方向に沿って延びる旋回軸１２が設けられており、この旋回軸１２の外周面には、上歯を回動させるための回動手段１３が取り付けられている。なお、この旋回軸１２は、４分割された軸の端部１２ａを連結して１つの軸として組み立てることができるようになっており、組み立てられた旋回軸１２の両端部は、版胴１の端部まで延在し、この旋回軸１２の端部を手動またはアクチュエータで旋回させるように構成されている。
【００１９】
図５は旋回軸１２と回動手段１３とを分解した状態を示す斜視図を示している。この回動手段１３は、版胴の回転軸２と略平行な軸を中心に回転可能なカムフォロア１４と、このカムフォロア１４が取り付けられる軸１８と、この軸１８を取り付けるための軸受け１５およびブロック１６と、このブロック１６を付勢するさらばね１７とで構成されている。カムフォロア１４は、軸１８の長手方向に間隔を置いて４つ取り付けられている。この軸１８には軸受け１５およびブロック１６が取り付けられ、このブロック１６が旋回軸１２の外周面部にさらばね１７を介して取り付けられている。なお、軸１８が取り付けられる軸受け１５の取付け穴は、軸１８の外径よりも取付け穴の径の方が大きく形成されており、さらばね１７によって付勢された軸１８が取付け穴の中で動くことができるようになっている。
【００２０】
次に、咥え側万力６の構成について説明する。図２および図３に示すように、咥え側万力６は版胴１の軸方向に３分割で構成されており、それぞれ上歯１９と下歯２０とを備えている。版胴１には、その軸方向に延びるカム軸２１が設けられており、上歯１９には、カム軸２１のカム面と当接するカムフォロア（第２の回転体）２２が設けられている。このカムフォロア２２は、カム軸２１の下側に配置され、カム軸２１と略平行な軸上を回転することができるようになっている。このカムフォロア２２の回転軸は、付勢手段のさらばね２３を介して上歯１９に取り付けられており、このさらばね２３はカムフォロア２２を上側に付勢している。
【００２１】
カム軸２１は、略円筒形状を有しており、図３および図６（ａ）〜（ｃ）に示す断面形状において、その外周面の一部が削られて第１の平面部２１ａが形成されている。この平面部２１ａには、上歯７に固定されたピン２４が当接するようになっている。また、カム軸２１の外周面には、カム軸２１の長手方向に第１の平面部２１ａとずれた位置に形成された第２の平面部２１ｂ（図６（ａ）〜（ｃ）において点線で示されている）が形成されている。この第２の平面部２１ｂには、カムフォロア２２の転動面が当接するようになっている。
【００２２】
次に、本発明の実施の形態に係る咥え万力装置の作用を、図３および図６を用いて説明する。
【００２３】
最初に、咥え側万力について説明する。版胴１の端部から突出しているカム軸２１が図６（ａ）に示すように時計回りに回されている状態では、第１の平面部２１ａがピン２４と面しておらず、第２の平面部２１ｂはカムフォロア２２と当接している。この状態では、カム面がピン２４を上方に押し上げて、上歯１９と下歯２０との噛み合いが開いた状態になっており、版１１の前端部１１ａ（図３参照）を上歯１９と下歯２０との間にセットすることができる。
図６（ａ）の状態から図６（ｂ）および図６（ｃ）に示すようにカム軸２１が反時計回りに回されている状態では、第１の平面部２１ａがピン２４に面しており、第２の平面部２１ｂはカムフォロア２２との当接が解除される。この状態では、カム軸２１のカム面はピン２４を押し上げていないので上歯１９と下歯２０との噛み合いが閉じるようになり、カム軸２１に押し下げられたカムフォロア２２はカムフォロア軸を押し下げ、更にカムフォロア軸を付勢しているさらばね２３を介して上歯１９が所定の力で押し下げられるので、版１１を上歯１９と下歯２０との噛み合いにより咥えることができる。
【００２４】
次に、咥え尻側万力について説明する。版胴１の端部から突出している旋回軸１２が図３の反時計回りに回されている状態では、カムフォロア１４は上歯７のテーパー面７ａには当接しておらず、上歯７は回動軸９を中心に時計回りに自由に回動することができる。この状態における上歯およびカムフォロアを、図３の２点鎖線で示す。
【００２５】
版胴１に版１１を巻きつけ、版１１の後端部１１ｂ（版尻）を噛み合い部１０にセットして、旋回軸１２を時計回りに回動させると、カムフォロア１４は旋回軸１２の回転方向に移動して、上歯１７のテーパー面７ａに当接する。そして、カムフォロア１４は回転しながら下り傾斜面のテーパー面７ａを介して上歯７を徐々に上方向に押し上げる。この状態では、旋回軸１２に取り付けられたブロック１６および軸受け１５がさらばね１７の付勢力によって上方向に押し上げられ、これに伴って軸受け１５の取付け穴に支持された軸１８を介してカムフォロア１４が所定の力で押し上げられるので、上歯７は回動軸９を中心に反時計回りに回動し、上歯７と下歯８との噛み合いにより噛み合い部１０で版１１の後端部１１ｂを咥えることができる。このテーパー面７ａの形状は、旋回軸１２の回転角度によって、上歯７と下歯８の噛み合い力が調整できるように所定の傾斜角度で形成されているので、この回転角度を管理して噛み合い力を調整することが可能となる。
【００２６】
本発明の実施の形態に係る枚葉印刷機の咥え万力装置では、テーパー面７ａと回転体１４とが摺動することなく上歯７を回動させることができるので、旋回軸１２を回転させるのに過大なトルクを必要としないで、大きな咥え力を得ることができる。また、過大なトルクを必要としないので、旋回軸１２にねじれを発生させることがなく、版胴１の長手方向に対して均一な咥え力を得ることができる。さらに、カムフォロア１４やテーパー面７ａに磨耗を生じさせない。
【００２７】
さらに、旋回軸１２の旋回角度によって咥え力を調整および管理することができる。また、旋回軸１２の軸端部を手動またはアクチュエータによって旋回させるように構成されているので、版１１を咥えさせる作業が容易に行なえるようになる。一方、咥え側万力６についても摺動動作をなくすことで、咥え側万力と咥え尻側万力との咥え力を共に高めることができる。
【００２８】
以上、本発明を実施するための最良の形態について述べたが、本発明は既述の実施形態に限定されるものではなく、本発明の技術思想に基づいて各種の変形および変更が可能である。
例えば、咥え尻側万力５において、カムフォロア１４を上歯７側に設け、テーパー面７ａを旋回軸１２側に設けることにより、上述の実施例と同等の効果を得ることができる。
【図面の簡単な説明】
【００２９】
【図１】本発明の実施の形態に係る咥え万力装置に使用される版胴の斜視図であって版溝の中に咥え尻側万力のみを組み込んだ状態を示す外観図である。
【図２】本発明の実施の形態に係る咥え万力装置に使用される版胴の斜視図であって版溝の中に咥え側万力のみを組み込んだ状態を示す外観図である。
【図３】本発明の実施の形態に係る版胴を長手方向に対して直角な面で切断した状態を示す断面図である。
【図４】本発明の実施の形態に係る咥え尻側万力であって、図１の版胴の長手方向に沿って４分割されているうちの１つを拡大して示す斜視図である。
【図５】本発明の実施の形態に係る咥え尻側万力に使用されるカム軸の分解斜視図である。
【図６】本発明の実施の形態に係る咥え側万力であって、（ａ）から（ｃ）はカム軸の回転位置と上歯の動きを示す動作図である。
【図７】従来の一般的な枚葉印刷機の全体的な概略を示す構成図である。
【図８】版胴を長手方向に対して直角な面で切断した状態を示す断面図であって、従来の咥え側万力の構造の一例を示す図である。
【図９】版胴を長手方向に対して直角な面で切断した状態を示す断面図であって、従来の咥え尻側万力の構造の一例を示す図である。
【符号の説明】
【００３０】
１  版胴
２  版胴の回転軸
３  版溝
４  版万力装置
５  咥え尻側万力
６  咥え側万力
７  上歯
８  下歯
９  回動軸
１０  噛み合い部
１１  版
１１ａ  版の前端部（版尻）
１１ｂ  版の後端部
１２  旋回軸
１２ａ  軸端部
１３  回動手段
１４  カムフォロア（回転体）
１４ａ  転動面
１５  軸受け
１６  ブロック
１７  さらばね
１８  軸
１９  上歯
２０  下歯
２１  カム軸
２１ａ  第１の平面部
２１ｂ  第２の平面部
２２  カムフォロア（第２の回転体）
２３  さらばね
５２  上歯
５３  下歯
５４  押さえローラ
５５ａ〜５５ｄ  印刷装置
５６  給紙装置
５７  排紙装置
５８  シート積重装置
５９  ブランケット胴
６０  圧胴
６１  シート
６２  版胴
６４  上歯
６５  下歯
６６  レール
６７  摺動板
６８  台座
６９  ボルト
７０  球面座金
７１  圧縮バネ
７２  開閉用カム
７３  カム
Ｒ  咥え側万力
Ｓ  咥え尻側万力
Ｔ  中間胴
ＦＬ  フロア
【図１】
2006181766.tif 000003
【図２】
2006181766.tif 000004
【図３】
2006181766.tif 000005
【図４】
2006181766.tif 000006
【図５】
2006181766.tif 000007
【図６】
2006181766.tif 000008
【図７】
2006181766.tif 000009
【図８】
2006181766.tif 000010
【図９】
2006181766.tif 000011